(57)【特許請求の範囲】
【請求項１】
供給された原水をそのまま吐水する原水流路と原水をろ過して吐水する浄水路のいずれかに接続する水スイッチと、原水の不純物等を除去するろ過部と、該ろ過部を通過する水量を測定する測定部と該測定部の測定結果を表示する表示部とを備える積算流量計と、前記水スイッチと前記積算流量計の一部または全部を収容する本体カバーとを備え、前記ろ過部は積算流量計に対して脱着自在であり、脱着を行うことで前記積算流量計の表示が帰零する帰零手段を備えた浄水器であって、
積算流量計は、ろ過部を通過する水流によって回転可能な羽根車と、羽根車の回転を減速し伝達する第１の歯車を備えた伝達部と、伝達部の第１の歯車に連結する第２の歯車を備え前記ろ過部の通水量を表示する表示部と、該表示部を回転自在に収納するスライド部と、羽根車と伝達部とを収納する内ケーシング部と、スライド部と内ケーシング部を収納し羽根車を回転させる水流の流入口と吐水口とを備えたケーシングを備え、
前記伝達部の第１の歯車と表示部の第２の歯車をろ過部の脱着方向に沿って並べて配置し、
前記帰零手段は、ろ過部の取外しに伴ってスライド部をろ過部の脱着方向に表示部と共に移動させる第１スプリングと、前記ろ過部の取外しに伴って移動するスライド部に合わせて前記内ケーシング部を移動させる第２スプリングと、表示部の表示状態を帰零させる帰零リブとを備え、前記第１スプリングは、第２スプリングによる内ケーシングの移動が終了した後にさらに前記スライド部を表示部と共に移動させて表示部の第２の歯車と伝達部の第１の歯車との連結を解除するためのものであり、前記帰零リブは、表示部と伝達部の連結解除後に回転がどこにも制限されなくなった表示部が有するカムに接触して表示部の表示状態を帰零させるためのものであり、
ろ過部の取付けに伴ってスライド部が表示部と共に前記ろ過部の取外し時とは逆方向に移動して表示部と伝達部とを連結するものであって、ろ過部を積算流量計に取り付けた状態で、表示部の第２の歯車により伝達部の第１の歯車を前記スプリングの付勢力に抗して押圧することを特徴とする浄水器。
【発明の詳細な説明】
【０００１】
【発明の属する技術分野】
本発明は浄水器の通水路中に配置され、通路中を流れる水流により回転する羽根車の回転を利用してろ過水の積算通水量を表示する浄水器において、表示状態の安定に関するものである。
【０００２】
【従来の技術】
近年、飲用水への関心が高まり、各家庭や職場においても水道水などをろ過する浄水器の普及が著しい。特に水質の悪化、通水管の老朽化等で濁度、残留塩素以外にもトリハロメタン等人体に有害な物質が多少なりとも含有されているのが実態である。このような状況の中、ろ材交換の判断基準としては、顧客が購入時期、使用開始時期を目安とするか、ろ材の目詰りによる浄水吐水量の減少を目安とするか、または浄水吐水量の変位による瞬時流量を表示する浄水器により瞬時流量を目安とする判断を行っているのが実状である。そこで浄水器内を通水する流量を測定、表示する方法として実開平３−２６３９０公報に開示されており、図１９は、従来の浄水器の概略図で、図１９に示すように、カートリッジ型フィルタ５１、外箱５２、翼車作動水路５３、流量計５４、指針５５、水吐出口５６、翼車５９により構成されている。この構成による動作は、原水は翼車作動水路５３より導入され、水流にて翼車５９を回転させた上で、カートリッジ型フィルタ５１により不純物等を取り除かれることでろ過水となり、水吐出口５６より吐出する。また翼車５９の回転は流量計５４内の複数の連続した歯車を回転させることで減速され、最終的に指針５５を回転させる。指針５５の回転移動量を確認できるように外箱５２の一部が透明板５２ａとなっていることによりカートリッジ型フィルタ５１の寿命を判断できる構成となっている。また、カートリッジ型フィルタ５１の交換において、カートリッジ型フィルタ５１を外した時に、指針５５を手で回動させ始動位置に合わせることによる帰零動作を行うことができ、これにより交換後のカートリッジ型フィルタ５１の寿命の判断ができるようになっている。
【０００３】
【発明が解決しようとする課題】
しかしながら、従来の浄水器の帰零動作は使用者がろ過部の交換時に故意に動作を行うことが必要であるため、帰零動作を行わなかった場合には、ろ過部の交換時期を正しく表示できないという問題がある。
【０００４】
本発明は上記従来の問題点を解決するもので、比較的簡単な機械的構造により積算流量計の帰零動作をろ過部の交換時に自動的に行い、さらに交換前後において積算流量計の表示状態が正確な構造とした浄水器を提供するものである。
【０００５】
【課題を解決するための手段】
本発明の浄水器においては、  供給された原水をそのまま吐水する原水流路と原水をろ過して吐水する浄水路のいずれかに接続する水スイッチと、原水の不純物等を除去するろ過部と、該ろ過部を通過する水量を測定する測定部と該測定部の測定結果を表示する表示部とを備える積算流量計と、前記水スイッチと前記積算流量計の一部または全部を収容する本体カバーとを備え、前記ろ過部は積算流量計に対して脱着自在であり、脱着を行うことで前記積算流量計の表示が帰零する帰零手段を備えた浄水器であって、
積算流量計は、ろ過部を通過する水流によって回転可能な羽根車と、羽根車の回転を減速し伝達する第１の歯車を備えた伝達部と、伝達部の第１の歯車に連結する第２の歯車を備え前記ろ過部の通水量を表示する表示部と、該表示部を回転自在に収納するスライド部と、羽根車と伝達部とを収納する内ケーシング部と、スライド部と内ケーシング部を収納し羽根車を回転させる水流の流入口と吐水口とを備えたケーシングを備え、
前記伝達部の第１の歯車と表示部の第２の歯車をろ過部の脱着方向に沿って並べて配置し、
前記帰零手段は、ろ過部の取外しに伴ってスライド部をろ過部の脱着方向に表示部と共に移動させる第１スプリングと、前記ろ過部の取外しに伴って移動するスライド部に合わせて前記内ケーシング部を移動させる第２スプリングと、表示部の表示状態を帰零させる帰零リブとを備え、前記第１スプリングは、第２スプリングによる内ケーシングの移動が終了した後にさらに前記スライド部を表示部と共に移動させて表示部の第２の歯車と伝達部の第１の歯車との連結を解除するためのものであり、前記帰零リブは、表示部と伝達部の連結解除後に回転がどこにも制限されなくなった表示部が有するカムに接触して表示部の表示状態を帰零させるためのものであり、
ろ過部の取付けに伴ってスライド部が表示部と共に前記ろ過部の取外し時とは逆方向に移動して表示部と伝達部とを連結するものであって、ろ過部を積算流量計に取り付けた状態で、表示部の第２の歯車により伝達部の第１の歯車を前記スプリングの付勢力に抗して押圧するものである。
【０００６】
この発明によれば、ろ過部に伴う表示部の歯車の安定位置に対して伝達機構の歯車が適切な配置とできることで、ろ過部の取付時の誤差を吸収することができるという作用を有し、ろ過部の脱着前後において表示部と伝達機構の連結を安定させることができ、ろ過部の脱着による自動的な帰零動作と表示の正確な積算流量計を備えた浄水器が得られる。
【０００７】
【発明の実施形態】
以下本発明の実施の形態及び参考例１〜４について図１〜１８を用いて説明する。
【０００８】
（参考例１）
図１は本発明の実施の形態及び参考例１〜４における浄水器の概略平面断面図で、図２は本発明の実施の形態及び参考例１〜４における浄水器の概略正面断面図で、図３は本発明の実施の形態及び参考例１〜４における浄水器の積算流量計の概略平面断面図で、図４は本発明の実施の形態及び参考例１〜４における浄水器の積算流量計の概略側面断面図で、図５は本発明の実施の形態及び参考例１〜４における浄水器の積算流量計の概略正面断面図で、図６は本発明の参考例１、２、４における浄水器の表示部とスライド部の詳細図で、図７は本発明の実施の形態及び参考例１〜４における浄水器の積算流量計の帰零に関する概略側面断面図で、図８は本発明の実施の形態及び参考例１〜４における浄水器の積算流量計の帰零に関する概略側面断面図で、図１〜図５は浄水器の概略図に関するものであり、図６〜８は浄水器の帰零にかかる構成図に関するものである。
【０００９】
本発明の浄水器は原水をそのまま吐水する原水流路と原水をろ過して吐水する浄水路のいずれかに選択的に接続する水スイッチ１と、原水の不純物等を除去する活性炭やセラミック等のろ材や樹脂膜等を備えた浄水カートリッジ２と、浄水カートリッジ２を通過する水量を測定、表示する積算流量計３と、原水を吐水する原水吐水口２２と、浄水を吐水する浄水吐水口２０とにより構成され、浄水カートリッジ２は積算流量計３と脱着可能である。
【００１０】
積算流量計３は浄水カートリッジ２より吐出した水流によって回転可能な羽根車５と、羽根車５と一体であり羽根車５の回転を伝える羽根歯車５ａと、羽根歯車５ａより伝わった回転を減速させる伝達機構である連続した７枚の歯車６と、歯車６の最終段の歯車である最終歯車６ｃと、最終歯車６ｃにより伝えられた動力により回転する表示歯車７ａを備えた表示部７と、表示部７を収容し浄水カートリッジ２の浄水カートリッジ吐出口２ａに接触しており浄水カートリッジ２の脱着時には浄水カートリッジ２と同方向に変位を行うスライド部４と、スライド部４の浄水カートリッジ２方向への変位を行わせる付勢体であるスプリング９と、羽根車５、歯車６、表示部７、スライド部４およびスプリング９を収納するケーシング８と、ケーシング８と浄水カートリッジ２の間に水通路を備え、浄水カートリッジ２が脱着可能に取付く連結管１１と、水スイッチ１、ケーシング８および連結管１１を収納する本体カバー１０および水スイッチ１の切換えを行うレバー１２により構成されている。
【００１１】
また、羽根車５は羽根歯車５ａを備え、６枚の羽根を持つ水車状の形状であり、７枚の歯車６は１枚に付き各々大小２個の歯車６ａ、６ｂを備え２本の軸に交互に取付くことで７枚の歯車が順次回転を伝える構成であり、７枚の歯車６の先頭には羽根車５が取付けられることで、羽根車５の回転を７枚の歯車６へ伝える構成である。さらに、羽根車５と７枚の歯車６は内ケーシング部１３内に収められており、内ケーシング部１３は羽根車５へ水流を導入する流入口１３ａと羽根車５を通過した水流を吐出する吐出口１３ｂを備えている。
【００１２】
図６は参考例１、２、４における浄水器の表示部とスライド部の詳細図であり、これを用いて表示部７とスライド部４の説明を行う。表示部７はポリプロピレン（以下「ＰＰ」という。）、ポリスチレン（以下「ＰＳ」という。）、アクリロニトリルブタジエンスチレン樹脂（以下「ＡＢＳ」という。）、ポリアセタール（以下「ＰＯＭ」という。）等の樹脂にて形成され、表示部７の中心を中心とした表示歯車７ａと、回転軸７cとを備え、また回転軸７ｃを中心として回転しカム動作を行うカム７ｂを表示部７と表示歯車７ａの間に備えた構造であり、表示部７はスライド部４に収容され、回転軸７ｃにより回転可能状態に取付けられており、さらに表示部７の表面は文字や模様などが施されることで、その表面の文字や模様で積算流量計３の測定結果を表示する。カム７ｂは円形や卵型のなだらかな凹みの無い曲線形状で、回転中心から最も近い最近点と最も遠い最遠点は一ヶ所であり、最近点から最遠点までは徐々に増えていく形状である。また、表示部７はカム７ｂによる重心のズレを補正する円弧状の表示リブ７ｄを備えることで回転軸７ｃを中心とするバランスの取れた形状となっている。
【００１３】
スライド部４は浄水カートリッジ２の浄水カートリッジ吐出口２ａと接触する円柱状部材４ａと、１面の空いた箱状部材４ｅと、スプリング９と組合うスプリングバー４ｃを備えた形状であり、円柱状部材４ａは浄水カートリッジ吐出口２ａより吐出した浄水を通過させるスライド部通路４ｂを備え、箱状部材４ｅは表示部７を空いた面に回転軸７ｃだけを保持することで収納し、表示部７を収納した時に表示歯車７ａと最終歯車６ｃが噛合うように側面を一部切欠いた切欠き部４ｄを備えた構造であり、切欠き部４ｄを通して表示歯車７ａと７枚の歯車６の最終歯車６ｃが噛合っており、さらに切欠き部４ｄはスライド部４が移動しても最終歯車６cは無理なく納まっている程の大きさがある。また、回転軸７ｃは浄水カートリッジ吐出口２ａと接する円柱状部材４ａより上方で保持されている。さらにスライド部４のスプリングバー４ｃは浄水カートリッジ２の脱着状態に寄らず、スプリング９をケーシング８に押付け自由長より縮めている。
【００１４】
図７は本発明の実施の形態及び参考例１〜４における浄水器の積算流量計の帰零に関する概略側面断面図であり、これを用いて以下帰零手段について説明する。ケーシング８は積算流量計３を通った水を吐水する浄水吐水口２０（図４に示す）および一部に表示部７の状態を確認できる表示窓２１を備え、表示窓２１は表示部７を確認できる透明な材料で構成されており、また、スプリング９を保持するスプリング９より一回り大きいスプリング保持部２４を備え、スライド部４が収納されている時はスライド部４のスプリングバー４ｃがスプリング保持部２４にスプリング９と供に挿入されている構造であり、スライド部４の位置に寄らず一部または全部をスプリングバー４ｃはスプリング保持部２４に挿入している。また、通常使用状態において、ケーシング８内は浄水にて満たされた状態である。
【００１５】
スプリング９は最大限スライド部４が浄水カートリッジ２方向へ移動した場合でも自由長より圧縮された状態である。
【００１６】
本体カバー１０は表示窓２１を突出させる本体切欠き部１０ａを備えている。
【００１７】
連結管１１は浄水カートリッジ２の脱着を行うネジ部を備えるとともに、水スイッチ１から流れてきた水を浄水カートリッジ２へ送る原水通路１１ａ（図３に示す）と、浄水カートリッジ２を通った水がスライド部４のスライド通路４ｂを通過し積算流量計３へ流入する時に通る浄水通路１１ｂ（図３に示す）と、浄水カートリッジ２の浄水カートリッジ吐出口２ａとスライド部４の円柱状部材４ａが挿入する浄水カートリッジ挿入口１１ｃを備えている。さらにスライド部４の移動と合わせ表示部７が移動した時に表示部７のカム７ｂと接触する先端形状が斜めである帰零リブ２３を備えている。帰零リブ２３の厚みはカム７ｂと同等以下であり、その幅はカム７bとの接触時にカム７bの回転位置によらず接触できる幅があればよい。浄水カートリッジ挿入部１１ｃに浄水カートリッジ吐出口２ａはOリングを介して圧入されており、スライド部４の円柱状部材４ａはスライド可能な所定隙間の関係にて挿入されている。
【００１８】
なお、積算流量計を構成する部品は概ね樹脂を使用した構成でよく、表示部７は先に説明した通りであり、羽根車５、７枚の歯車６も同様である。スライド部４も同様であるが滑りのよいポリフェニレンサルファイド（以下「ＰＰＳ」という。）も適しており、透明部材である表示窓２１にはＡＢＳ、メタクリル樹脂等が適している。ケーシング８はＡＢＳで良いが表示窓２１と一体化にて成形する場合は透明部材となる。
【００１９】
ここで、浄水カートリッジ２の交換時期を表示するに当たり、例えば浄水カートリッジ２の寿命を４０００リットルとし通常毎分２リットルの浄水を使用する場合、羽根車５の回転数を毎分７００回転に調整すると、羽根歯車５ａと７枚の歯車６と表示歯車７ａによる減速比を２８０万分の１と構成することで表示部７は浄水カートリッジ２の寿命時までに半周することとなる。そのため表示部７の表面には半周後には寿命表示とそれ以後には過寿命であることを表示するとよい。また浄水カートリッジ２が数種類存在する場合などは、それぞれの浄水カートリッジ２の寿命に応じた複数の表示を表示部７の表面に施すことでよい。また、表示として使用する表示部７の回転は半周に限定されないが一周を超える場合は注意が必要である。
【００２０】
以上のように構成された浄水器の動作について説明する。
【００２１】
水道水から給水された原水は水スイッチ１によって原水として吐出する場合と浄水カートリッジ２へ送られる場合とに分けられる。原水として吐出する場合はレバー１２を原水に合わせることで、水スイッチ１より入った原水は本体を通り、原水吐水口２２より吐出される。浄水カートリッジ２に送る場合は、レバー１２を浄水に合わせることで、水スイッチ１を通過した原水は連結管１１の原水通路１１ａを通って浄水カートリッジ２へ送られる。浄水カートリッジ２においては浄水カートリッジ２中の活性炭やセラミック等のろ材や樹脂膜等によって、サビや濁り、水道水中の残留塩素等を除去され、浄水カートリッジ吐出口２ａより浄水として吐出される。吐出された浄水はスライド部４のスライド部通路４ｂ、浄水通路１１ｂを通過し積算流量計３を通って浄水吐水口２０より吐水される。積算流量計３内部においては浄水通路１１ｂを通過した水は内ケーシング部１３の流入口１３ａより流入し、羽根車５を時計方向に回転させながら吐出口１３bより吐出した後、浄水吐水口２０より浄水として吐出する。
【００２２】
ここで、浄水により回転させられた羽根車５は、一体となった羽根歯車５ａを回転させる。その回転は伝達機構である７枚の歯車６の先頭の大歯車６ａに伝えられ、一体となった小歯車６ｂを回転させ噛合った次の大歯車６ａを回転させることを繰返して、順次残りの歯車６に減速しながら伝わっていく。そして、歯車６の最終段の最終歯車６ｃにより表示部７の表示歯車７ａへと回転は伝えられる。表示歯車７ａは表示部７と一体であるため表示部７も同様に回転を行う。本体カバー１０は表示窓２１を本体切欠き部１０ａより突出させることで、表示窓２１から見える表示部７表面の文字や模様等により浄水の総通水量を表し、浄水カートリッジ２の交換時期を表示する。
【００２３】
なお、羽根車５の形状は水車状の形状である必要はなく、浄水の所定流量時に所定の回転数にて回転を行う形状であればよい。伝達機構は７枚の歯車６に限らず、浄水カートリッジ２の交換時期に所定の位置まで表示部７が回転動作するものであればよい。表示部７の表示は浄水カートリッジ２の交換時期を表示する以外に、水道水中の総トリハロメタン等の化学物質除去率を指定の試験方法で確認した結果の表示や浄水カートリッジ２の交換時期までを複数の段階にて表示してもよい。
【００２４】
なお、浄水カートリッジ２の交換時期を表示する方法としては、表示部７の表面に目印を設け本体カバー１０の表示窓２１周辺に目印に対応する表記を与えることでもよい。
【００２５】
図６、図７と図８を用いて帰零時の動作について説明を行う。
【００２６】
浄水カートリッジ２が取付いた状態において浄水カートリッジ２の浄水カートリッジ吐出口２ａは連結管１１の浄水カートリッジ挿入口１１ｃに圧入された状態でスライド部４の円柱状部材４ａを押圧して、円柱状部材４ｃは浄水カートリッジ挿入口１１ｃに一部を挿入した状態であり、浄水カートリッジ２の押圧力により箱状部材４ｅを通してスプリングバー４ｃが付勢体であるスプリング９をケーシング８のスプリング保持部２４に押付け縮めており、スプリングバー４ｃとスプリング９は共にスプリング保持部２４に挿入した状態で安定している。またこの状態において表示部７の表示歯車７ａは７枚の歯車６の最終歯車６ｃとスライド部４の切欠き部４ｄを通して連結しており、羽根車５の回転は表示部７まで伝達されている。
【００２７】
浄水器を使用する途中において表示部７により浄水カートリッジ２の交換時期を示された時に浄水カートリッジ２を連結管１１より外す。この時、浄水カートリッジ２の変位と合わせスプリング９の復帰力に押されてスプリングバー４ｃを介しスライド部４の円柱状部材４ａが浄水カートリッジ吐出口２ａと接触したまま変位を行う。スライド部４と連動して表示部７も変位を行い、表示歯車７ａと最終歯車６ｃの噛合い寸法よりスライド部４の移動量が増えると、表示歯車７ａと最終歯車６ｃの噛合いは外れ、表示部７の回転はどこにも制限されないものとなる。その後変位が進むと表示部７のカム７ｂは帰零リブ２３と接触した状態となるが、さらにスプリング９の復帰力により帰零リブ２３へ押付けられる。そのためカム７bはその形状により、表示部７の回転位置がどこにあろうとも帰零リブ２３に押付けられると一定の位置まで帰零リブ２３の先端に接触しながら回転軸７ｃを中心に回転を行い、回転中心より最も距離の近い点において帰零リブ２３が接触した状態で停止安定する。この状態の時が表示部７の基本の回転位置であり、この状態になった時にスライド部４も停止安定するが、まだスプリング９は自由長より縮んだ状態であり、ケーシング８のスプリング保持部２４にはスプリング９とスプリングバー４ｃの一部が挿入された状態である。また、浄水カートリッジ２を取外すとケーシング８中の水が多少流れ出る。
【００２８】
次に浄水カートリッジ２を取替え、連結管１１に取付ける時はスライド部４と表示部７は浄水カートリッジ２を外す時と逆の移動を行うが、浄水カートリッジ２の浄水カートリッジ吐出口２ａはスライド部４の円柱状部材４ａを押すことでスライド部４を移動させる。スライド部４はスプリングバー４ｃによりスプリング９をケーシング８のスプリング保持部２４へ押し縮めながら移動を行う。また、スライド部４はスプリングバー４ｃの一部をスプリング保持部２４に挿入していることと、連結管１１の浄水カートリッジ挿入部１１ｃに挿入している円柱状部材４ａによる制限によりスムーズな直線移動を行う。ここで表示部７は表示リブ７ｄにより回転軸７ｃを中心としてバランスの取れた形状であるため、スライド部４の移動途中において表示部７が束縛されない状態になった時も表示部７は現状から回転することなく基本の回転位置のまま移動を行う。浄水カートリッジ２が完全に取付けられた時点ではスプリング９は最大限縮められており、スプリングバー４ｃと共にケーシング８のスプリング保持部２４にそのほとんどを挿入した状態である。またこの時表示歯車７ａは最終歯車６ｃと噛合い、表示部７の回転は７枚の歯車６を通じて羽根車５の回転で制御されることとなる。またこの時の表示部７は初期の位置を示す表示を行い、帰零動作が終了となる。
【００２９】
なお、カム７ｂは最近点と最遠点が一ヶ所に限らず、表示部７の浄水カートリッジ２寿命時までの回転量が半分未満であれば２ヶ所持ってもよい。同様に複数あってもよい。また、帰零リブ２３と最終的に接触する点は曲線でなく直線であってもよい。
【００３０】
なお、表示部７の表示リブ７ｄの形状は表示部７を回転軸７ｃを中心としたバランスのとれた構成とする形状であればよい。なお、帰零リブ２３は先端が斜めの形状であるが形状にとらわれることなくカム７bを基本の位置まで回転させる形状であればよい。
【００３１】
図７は、参考例１における浄水器の積算流量計の帰零に関する概略側面断面図で、図８は、参考例１における浄水器の積算流量計の帰零に関する概略側面断面図であり、この図を使用して表示状態を安定させる安定手段について説明を行う。
【００３２】
表示部７の表示歯車７ａと複数の歯車６の最終歯車６ｃは浄水カートリッジ２の移動方向に対して垂直な配置関係である。
【００３３】
この構成による浄水器において、浄水カートリッジ２の取外し動作時には浄水カートリッジ２の動作に伴ってスライド部４がスプリングバー４ｃをスプリング９の復元力により浄水カートリッジ２方向へ移動する。スライド部４に収納された表示部７も同様に移動するが、表示歯車７ａと最終歯車６ｃが噛合っている間は表示歯車７ａは最終歯車６ｃに沿って回転を行い、噛合いが外れた後はそのまま帰零リブ２３まで移動を行い帰零リブ２３にて帰零動作を行われる。
【００３４】
浄水カートリッジ２の取付時には浄水カートリッジ吐出口２ａにより押圧された円柱状部材４ａによりスライド部４は移動を行う。スライド部４の移動は円柱状部材４ａと連結管１１の浄水カートリッジ挿入部１１ｃ、スプリングバー４ｃとケーシング８のスプリング保持部２４により制限された移動を行い、浄水カートリッジ２の浄水カートリッジ吐出口２ａの挿入量に応じてスライド部４は移動することとなる。スライド部４に収納された表示部７の表示歯車７ａは浄水カートリッジ２が完全に取付く前に複数の歯車６の最終歯車６ｃと噛合いを行う。さらに浄水カートリッジ吐出口２ａが挿入されると表示歯車７ａは最終歯車６ｃに沿って回転を行い、浄水カートリッジ２を完全に取付けた時に表示歯車７ａは安定することで表示部７の表示歯車７ａと複数の歯車６の最終歯車６ｃとの連結を完了し、表示部７の表示状態は初期状態を表示する。表示歯車７ａと最終歯車６ｃは移動方向に対して垂直な配置関係であるため、噛合いはゆとりを持った構成となり、浄水カートリッジ２の浄水カートリッジ吐出口２ａの寸法誤差や浄水カートリッジ２の取付部の寸法誤差、取付量不足によりスライド部４が理想とする位置よりずれた位置で停止した時でも表示歯車７ａと最終歯車６ｃの連結は行われ表示部７の表示状態を適切なものとすることができる。
【００３５】
（実施の形態）
図９は本発明の実施の形態における浄水器の概略平面断面図で、図１０は本発明の実施の形態における浄水器の概略側面断面図で、図１１は本発明の実施の形態における浄水器の概略正面断面図で、図１２は本発明の実施の形態、参考例３における浄水器の表示部とスライド部の詳細図であり、この図を用いてろ過部の取付時の誤差を吸収する手段であり、表示状態を安定させる安定手段について説明を行う。
【００３６】
複数の歯車６と羽根車５は２本の軸３２、３３を持ち、内ケーシング部１３に軸３２、３３の両端を保持された状態で複数の歯車６と羽根車５は内ケーシング部１３に収納された構成であり、表示部７の表示歯車７ａと複数の歯車６の最終歯車６ｃは浄水カートリッジ２の移動方向軸上に配されている。内ケーシング部１３は羽根車５と複数の歯車６を収納した一個のブロックとなった上で、円すい状の第２スプリング２９によりケーシング８から一部離れた状態であり、第２スプリング２９の伸縮方向に移動可能状態でケーシング８に収納されている。また浄水カートリッジ２によって位置を規定されたスライド部４に収納された表示部７の表示歯車７ａは最終歯車６ｃに対して力を加えており、最終歯車６ｃは加えられた力を軸３２から内ケーシング部１３を通して第２スプリング２９へと伝え、第２スプリング２９は加えられた力が蓄積させた状態で縮んだ状態であり、この状態で表示部７、羽根車５、複数の歯車６、内ケーシング部１３は安定している。また、表示部７は表示歯車７ａをスライド部４の箱状部材４ｅより突出した状態で取付いている。
【００３７】
このような構成において浄水カートリッジ２の脱着時の動作を説明する。
【００３８】
浄水カートリッジ２の取外し時にはスプリング９（第１スプリング）の弾性力によりスライド部４は円柱状部材４ａと浄水カートリッジ２の浄水カートリッジ吐出口２ａが接触したまま同方向に移動する。スライド部４に収納された表示部７も移動を行い表示部７の一部である表示歯車７ａは最終歯車６ｃから離れようとする。最終歯車６ｃは第２スプリング２９により表示歯車７ａを追いかける動作を行う。最終歯車６ｃの移動は内ケーシング部１３と連結管１１が接触することで終了し、それ以上表示歯車７ａが移動することで表示歯車７ａと最終歯車６ｃの連結は外れる。浄水カートリッジ２を外した状態では表示部７は帰零リブ２３により一定の位置まで回転後静止状態となる。次に浄水カートリッジ２を取付ける時は浄水カートリッジ２の浄水カートリッジ吐出口２ａに円柱状部材４ａが押圧されてスライド部４、表示部７が移動を行いスプリングバー４ｃがスプリング９をスプリング保持部２４に押付けて縮め、移動が進むと表示歯車７ａは最終歯車６ｃと噛合う。さらに移動が進むと表示歯車７ａは最終歯車６ｃを押圧することで、最終歯車６ｃは軸３２を通じて内ケーシング部１３に接触している第２スプリング２９を押し縮め、内ケーシング部１３、軸３２、最終歯車６ｃは移動を行い表示歯車７ａと最終歯車６ｃは適度に圧のかかった噛合い状態となり、表示部７の状態は初期状態となる。また、表示歯車７ａと最終歯車６ｃの噛合いの位置関係はゆとりを持った構成となり、浄水カートリッジ２の浄水カートリッジ吐出口２ａの寸法誤差や浄水カートリッジ２の取付部の寸法誤差、取付量不足等によりスライド部４が理想とする位置よりずれた位置で停止した時でも表示歯車７ａと最終歯車６ｃの連結は行われ表示部７の表示状態を適切なものとすることができる。
【００３９】
（参考例２）
図１３は参考例２における浄水器の概略正面断面図で、図１４は参考例２における浄水器のスライド部の詳細図であり、この図を使用してスライド部の移動状態安定手段であり、表示状態を安定させる安定手段について説明を行う。
【００４０】
スライド部４は箱状部材４ｅの両面に浄水カートリッジ２の動作に伴って移動する方向と同方向に伸びる第１リブ４ｆと第２リブ４ｇを備え、スライド部４が接する内ケーシング部１３の一面には第１リブ４ｆと対応する二本の第３リブ２７を備え、スライド部４の接するケーシング８の一面には第２リブ４ｇを収納するケーシング凹部２８を備えている構造であり、二本の第３リブ２７の間に第１リブ４ｆが納まっている関係である。第３リブ２７、ケーシング凹部２８は第１リブ４ｆ、第２リブ４ｇと同方向に伸びた形状である。第１リブ４ｆ、第２リブ４ｇ、第３リブ２７、ケーシング凹部２８はの太さ、高さ、深さはスライド部４がどのように動いても外れない関係である。
【００４１】
以上の構造においてスライド部４の動作を説明すると、浄水カートリッジ２の取外し時において、スライド部４は円柱状部材４ａと連結管１１の浄水カートリッジ挿入部１１ｃ、スプリングバー４ｃとケーシング８のスプリング保持部２４により直線運動を行うが、同時に第１リブ４ｆは第３リブ２７と擦れながら、第２リブ４ｇはケーシング凹部２８と擦れながら移動を行う。
【００４２】
浄水カートリッジ２の取付時には浄水カートリッジ吐出口２ａにより押圧された円柱状部材４ａによりスライド部４は移動を行う。スライド部４の移動は円柱状部材４ａと連結管１１の浄水カートリッジ挿入部１１ｃ、スプリングバー４ｃとケーシング８のスプリング保持部２４により制限された移動を行うが、円柱状部材４ａは移動するにしたがって浄水カートリッジ挿入部１１ｃとのかかりが浅くなり、スプリングバー４ｃとスプリング保持部２８はスプリング９の伸び縮みの関係上ある程度隙間のある関係であるため、移動するに従い理想的な軌道から外れそうになるスライド部４を第１リブ４ｆ、第２リブ４ｇ、第３リブ２７、ケーシング凹部２８により安定した状態で理想的な直線軌道を移動する。浄水カートリッジ２を完全に取付けた時にはスライド部４は表示部７の表示歯車７ａと複数の歯車６の最終歯車６ｃとの連結を完了し、表示部７の表示状態は初期状態を表示する。
【００４３】
なお、スライド部４には両側に各一本リブを備えているが、一本に限定されることはなく、また両側ではなく片側でもよい。また、第三リブ２８は内ケーシング部１３に備えられているが内ケーシング部１３と同様の機能をケーシング８に備えることでもよい。また、各リブの形状は長い凸状であるが、短い凸状や突起を直線に複数配することでもよい。
【００４４】
（参考例３）
図１２は参考例３における浄水器の表示部とスライド部の詳細図で、図１５は参考例３における浄水器の概略平面断面図で、図１６は参考例３における浄水器の凹部詳細図であり、この図を用いて表示部位置規制手段であり、表示状態を安定させる安定手段について説明を行う。
【００４５】
羽根車５と伝達機構である複数の歯車６を収納する内ケーシング部１３を備えた浄水器において、内ケーシング部１３はスライド部４が接触する面に表示部７の一方の回転軸７ｃを受け持つ第１凹部３０を備え、またケーシング８はスライド部７が接触する面に表示部７の他方の回転軸７ｃを受け持つ第２凹部３１を備えている。第１凹部３０、第２凹部３１共に浄水カートリッジ２の移動方向と同方向に伸びた直線形状をしている。そのため、表示部７は第１凹部３０、第２凹部３１により浄水カートリッジ２の脱着時の移動方向以外の方向に関して制限された構成となっている。また、表示部７は表示歯車７ａをスライド部４の箱状部材４ｅより突出した状態で取付いており、表示歯車７ａと複数の歯車６の最終歯車６ｃとはスライド部４の移動方向に対して水平な配置関係である。
【００４６】
この構成の浄水器において、浄水カートリッジ２の取外し時にはスプリング９の弾性力によりスライド部４は円柱状部材４ａと浄水カートリッジ２の浄水カートリッジ吐出口２ａが接触したまま同方向に移動する。スライド部４の動作に合せ表示部７も移動を行い、表示部７は回転軸７ｃが取付いているスライド部７の箱状部材４ｅにより移動方向を与えられ、第１凹部３０、第２凹部３１により規定された軌道を移動することとなる。表示部７の表示歯車７ａと複数の歯車６の最終歯車６ｃの噛合いは表示部７の移動により外れ、さらに移動が進むことで表示部７は一体となったカム７ｂを帰零リブ２３へ接触させることで、表示部７の帰零動作が行われる。
【００４７】
浄水カートリッジ２の取付時には浄水カートリッジ吐出口２ａにより押圧された円柱状部材４ａによりスライド部４は移動を行う。スライド部４の移動は円柱状部材４ａと連結管１１の浄水カートリッジ挿入部１１ｃ、スプリングバー４ｃとケーシング８のスプリング保持部２４により制限された移動を行うが、円柱状部材４ａは移動するにしたがって浄水カートリッジ挿入部１１ｃとのかかりが浅くなり、スプリングバー４ｃとスプリング保持部２８はスプリング９の伸び縮みの関係上ある程度隙間のある関係であるため、移動するに従い理想的な軌道から外れるとしても表示部７は回転軸７ｃの取付いている第１凹部３０、第２凹部３１に沿った動きを行う。複数の歯車６は内ケーシング部１３内に収納されており、最終歯車６ｃと第１凹部３０の位置関係は固定されているため、最終歯車６ｃと第１凹部３０に沿って移動してくる表示部７の表示歯車７ａは位置関係がずれることことなく噛合うこととなる。またケーシング８に内ケーシング部１３は収納されておりケーシング８と内ケーシング部１３の位置関係は取り易いため、ケーシング８の第２凹部３１は第１凹部３０に対して同等か少し余裕を持った構造とすることで表示部７の移動を妨げることなく、表示歯車７ａと最終歯車６ｃは噛合いを行い表示状態を適切なものとすることができる。
【００４８】
なお、表示歯車７ａと最終歯車６ｃの位置関係は浄水カートリッジ２の移動方向と同方向に限らず、どのような配置関係でもよい。その時の表示部７とスライド部４の形状は図６記載の形状を使用してもよい。
【００４９】
（参考例４）
図１７は参考例４における浄水器の概略平面断面図で、図１８は参考例４における浄水器の凹部詳細図であり、この図を使用して表示部の表示位置規定手段であり、表示状態を安定させる安定手段について説明を行う。
【００５０】
羽根車５と伝達機構である複数の歯車６を収納する内ケーシング部１３を備えた浄水器において、内ケーシング部１３は複数の歯車６の最終歯車６ｃが配置された面に表示部７の一方の回転軸７ｃを受け持つ傾斜を持った第１凹部３０を備え、またケーシング８は表示部７の他方の回転軸７ｃを受け持つ傾斜を持った第２凹部３１を備えており、傾斜の状態は表示歯車７ａと複数の歯車６の最終歯車６ｃの連結の断続を行うことのできる段差である。そのため、表示部７は第１凹部３０、第２凹部３１により浄水カートリッジ２の脱着時の移動方向以外の方向に関して制御された構成であり、浄水カートリッジ２の移動距離が表示歯車７ａと最終歯車６ｃの関係に対して短くとも十分噛合いを断続できる構成である。また、表示部７の表示歯車７ａと複数の歯車６の最終歯車６ｃの位置関係は浄水カートリッジ２の移動方向に対して垂直な関係である。
【００５１】
浄水カートリッジ２の取外し時にはスプリング９の弾性力によりスライド部４は円柱状部材４ａと浄水カートリッジ２の浄水カートリッジ吐出口２ａが接触したまま同方向に移動する。スライド部４の動作に合せ表示部７も移動を行い、表示部７は回転軸７ｃが取付いているスライド部７の箱状部材４ｅにより移動方向を与えられ、第１凹部３０、第２凹部３１により規定された軌道を移動する。表示部７は第１凹部３０、第２凹部３１の傾斜する部分を通過することで表示歯車７ａが複数の歯車６の最終歯車６ｃより外れる。さらに移動が進むことで表示部７は一体となったカム７ｂを帰零リブ２３へ接触させることで、表示部７の帰零動作が行われる。
【００５２】
浄水カートリッジ２の取付時には浄水カートリッジ吐出口２ａにより押圧された円柱状部材４ａによりスライド部４は移動を行う。スライド部４の移動は円柱状部材４ａと連結管１１の浄水カートリッジ挿入部１１ｃ、スプリングバー４ｃとケーシング８のスプリング保持部２４により制限された移動を行うが、円柱状部材４ａは移動するにしたがって浄水カートリッジ挿入部１１ｃとのかかりが浅くなり、スプリングバー４ｃとスプリング保持部２８はスプリング９の伸び縮みの関係上ある程度隙間のある関係であるため、移動するに従い理想的な軌道から外れるとしても表示部７は回転軸７ｃの取付いている第１凹部３０、第２凹部３１に沿った動きを行う。複数の歯車６は内ケーシング部１３内に収納されており、最終歯車６ｃと第１凹部３０の位置関係は固定されているため、最終歯車６ｃと第１凹部３０に沿って移動してくる表示部７の表示歯車７ａは位置関係がずれることことなく噛合うこととなる。またケーシング８に内ケーシング部１３は収納されておりケーシング８と内ケーシング部１３の位置関係は取り易いため、ケーシング８の第２凹部３１は第１凹部３０に対して同等か少し余裕を持った構造とすることで表示部７の移動を妨げることなく表示歯車７ａと最終歯車６ｃは噛合う。また、表示部７の回転軸７ｃが第１凹部３０、第２凹部３１の傾斜部分を通過することで表示歯車７ａと最終歯車６ｃの噛合いが起こるため、浄水カートリッジ２の取付け時のスライド部４の移動距離が短い場合でも傾斜部を通過する構成とすることで表示部７と複数の歯車６の連結を行うことができ表示状態を適切なものとすることができる。
【００５３】
なお、表示歯車７ａと最終歯車６ｃの位置関係は浄水カートリッジ２の移動方向と垂直な配置に限らず、各凹部の傾斜状態と直線関係ができる斜めの配置関係でもよい。
【００５４】
【発明の効果】
以上のように本発明は、簡単な機械的構造により、ろ材を通過した流量を測定、表示する積算流量計を備え、ろ過部の交換時に表示状態を自動的に帰零する帰零手段を備え、帰零動作が行える構造とした浄水器であるから、ろ過部の交換を行った後でも特別な動作を必要とせず表示部が帰零できる。
【００５５】
また、伝達機構を収納した内ケーシング部を表示部の移動に合わせて変位する構造とした浄水器であるから、ろ過部の取付時に表示部と伝達機構の連結を柔軟なものとし、ろ過部の寸法誤差や取付誤差を吸収することで表示状態を適切なものとでき、使用者に対し的確にろ材の交換時期を知らしめることができるという効果が得られる。
【図面の簡単な説明】
【図１】  本発明の実施の形態及び参考例１〜４における浄水器の概略平面断面図
【図２】  本発明の実施の形態及び参考例１〜４における浄水器の概略正面断面図
【図３】  本発明の実施の形態及び参考例１〜４における浄水器の積算流量計の概略平面断面図
【図４】  本発明の実施の形態及び参考例１〜４における浄水器の積算流量計の概略側面断面図
【図５】  本発明の実施の形態及び参考例１〜４における浄水器の積算流量計の概略正面断面図
【図６】  本発明の参考例１、２、４における浄水器の表示部とスライド部の詳細図
【図７】  本発明の実施の形態及び参考例１〜４における浄水器の積算流量計の帰零に関する概略側面断面図
【図８】  本発明の実施の形態及び参考例１〜４における浄水器の積算流量計の帰零に関する概略側面断面図
【図９】  本発明の実施の形態における浄水器の概略平面断面図
【図１０】  本発明の実施の形態における浄水器の概略側面断面図
【図１１】  本発明の実施の形態における浄水器の概略正面断面図
【図１２】本発明の実施の形態、参考例３における浄水器の表示部とスライド部の詳細図
【図１３】  参考例２における浄水器の概略正面断面図
【図１４】  参考例２における浄水器のスライド部の詳細図
【図１５】  参考例３における浄水器の概略平面断面図
【図１６】  参考例３における浄水器の凹部詳細図
【図１７】  参考例４における浄水器の概略平面断面図
【図１８】  参考例４における浄水器の凹部詳細図
【図１９】  従来の浄水器の概略図
【符号の説明】
１  水スイッチ
２  浄水カートリッジ
２ａ  浄水カートリッジ吐出口
３  積算流量計
４  スライド部
４ａ  円柱状部材
４ｂ  スライド通路
４ｃ  スプリングバー
４ｄ  切欠き部
４ｅ  箱状部材
４ｆ  第１リブ
４ｇ  第２リブ
５  羽根車
５ａ  羽根歯車
６  複数の歯車
６ａ  大歯車
６ｂ  小歯車
６ｃ  最終歯車
７  表示部
７ａ  表示歯車
７ｂ  カム
７ｃ  回転軸
８  ケーシング
９  スプリング
１０  本体カバー
１０ａ  本体切欠き部
１１  連結管
１１ａ  原水通路
１１ｂ  浄水通路
１１ｃ  浄水カートリッジ挿入口
１２  レバー
１３  内ケーシング部
１３ａ  流入口
１３ｂ  吐出口
２０  浄水吐水口
２１  表示窓
２２  原水吐出口
２３  帰零リブ
２４  スプリング保持部
２７  第３リブ
２８  ケーシング凹部
２９  第２スプリング
３０  第１凹部
３１  第２凹部
３２、３３  軸
５１  カートリッジ型フィルタ
５２  外箱
５２ａ  透明板
５３  翼車作動水路
５４  流量計
５５  指針
５６  水吐出口
５９  翼車
【図１】
0004158278.tif 000002
【図２】
0004158278.tif 000003
【図３】
0004158278.tif 000004
【図４】
0004158278.tif 000005
【図５】
0004158278.tif 000006
【図６】
0004158278.tif 000007
【図７】
0004158278.tif 000008
【図８】
0004158278.tif 000009
【図９】
0004158278.tif 000010
【図１０】
0004158278.tif 000011
【図１１】
0004158278.tif 000012
【図１２】
0004158278.tif 000013
【図１３】
0004158278.tif 000014
【図１４】
0004158278.tif 000015
【図１５】
0004158278.tif 000016
【図１６】
0004158278.tif 000017
【図１７】
0004158278.tif 000018
【図１８】
0004158278.tif 000019
【図１９】
0004158278.tif 000020